(57)【要約】【課題】  公衆電話交換回線網経由およびインターケット経由でファクシミリデータを送信する場合のユーザの利便性を高める。【解決手段】  インターネットファクシミリ装置１００は、ファクシミリデータをインターネット経由で送信する第１送信部１１２と、ファクシミリデータを公衆電話交換回線網経由で送信する第２送信部１１４と、第１送信部１１２でファクシミリデータを送信するための第１種アドレス情報と、第２送信部１１４でファクシミリデータを送信するための第２種アドレス情報とを対応付けて記憶するアドレス情報記憶部１２０とを含む。送信処理部１０６は、たとえば第２送信部１１４によるファクシミリデータの送信指示があった場合に、アドレス情報記憶部１２０を参照して、第１送信部１１２でもファクシミリデータの送信が可能な場合に、ユーザに確認を行う。【選択図】      図２
2007096952.tif 000002
【特許請求の範囲】
【請求項１】
ファクシミリデータをインターネット経由で送信する第１送信部と、
ファクシミリデータを公衆電話交換回線網経由で送信する第２送信部と、
前記第１送信部でファクシミリデータを送信するための第１種アドレス情報と、前記第２の送信部でファクシミリデータを送信するための第２種アドレス情報とを対応付けて記憶するアドレス情報記憶部と、
前記第１種アドレス情報または前記第２種アドレス情報の指定とともにファクシミリデータの送信指示を受け付ける受付部と、
前記受付部がファクシミリデータの送信指示を受け付けると、前記アドレス情報記憶部を参照して、指定された前記第１種アドレス情報および前記第２種アドレス情報のいずれか一方に、いずれか他方が対応付けられている場合、指定された前記一方のアドレス情報により前記ファクシミリデータを送信してよいか否かを確認し、確認の結果に基づき、前記第１送信部または前記第２送信部に前記ファクシミリデータを送信させる送信処理部と、
を含む通信端末装置。
【請求項２】
請求項１に記載の通信端末装置において、
前記送信処理部は、前記受付部が前記第２種アドレス情報の指定とともにファクシミリデータの送信指示を受け付けた場合、前記アドレス情報記憶部を参照して、指定された前記第２種アドレス情報に前記第１種アドレス情報が対応付けられている場合、前記第１送信部による前記ファクシミリデータの送信が可能であることを示すとともに、前記第２送信部により当該ファクシミリデータを送信してよいか否かを確認する通信端末装置。
【請求項３】
請求項１または２に記載の通信端末装置において、
前記受付部が複数の送信先について前記ファクシミリデータを送信する同報送信の指示を受け付けた場合、前記送信処理部は一の前記送信先について前記確認を行うとともに、当該確認に対するユーザからの指示を受け付けた場合、残りの他の前記送信先についてもすべて同種のアドレス情報により前記ファクシミリデータを送信してよいか否かを確認する通信端末装置。
【請求項４】
請求項１または２に記載の通信端末装置において、
前記受付部が複数の送信先について前記ファクシミリデータを送信する同報送信の指示を受け付けた場合、前記送信処理部は少なくとも一の前記送信先について前記確認を行うとともに、当該確認に対するユーザからの指示を受け付けた場合、残りの他の前記送信先についても同種のアドレス情報により前記ファクシミリデータを送信させる通信端末装置。
【請求項５】
請求項１から４いずれかに記載の通信端末装置において、
前記送信処理部による前記確認を行うか否かの設定を記憶する設定記憶部をさらに含み、
前記送信処理部は、前記設定記憶部に前記確認を行う旨の設定が記憶されている場合に、前記確認を行う通信端末装置。
【請求項６】
請求項５に記載の通信端末装置において、
前記設定記憶部は、前記送信処理部による前記確認を行うか否かの設定を、ファクシミリデータの種類または当該ファクシミリデータの送信先の種類に対応付けて記憶し、
前記送信処理部は、前記ファクシミリデータの種類またはその送信先の種類に基づき、前記設定記憶部を参照して、前記確認を行うか否かを判断する通信端末装置。
【請求項７】
請求項１から６いずれかに記載の通信端末装置において、
前記第１種アドレス情報および前記第２種アドレス情報の少なくともいずれか一方に対応付けられたキーを含む操作部をさらに含み、
前記受付部は、前記キーの押下により前記一方のアドレス情報の指定を受け付け、
前記送信処理部は、前記キーに他方の前記アドレス情報が対応付けられている場合に、前記確認を行う通信端末装置。
【発明の詳細な説明】
【技術分野】
【０００１】
この発明は、通信端末装置に関する。
【背景技術】
【０００２】
ネットワーク技術の普及にともない、たとえばファクシミリ装置やＭＦＰ（Multi Functional Peripheral）等の情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファクシミリ通信機能、ネットワークを介したＩＰ電話によるＩＰファクシミリ通信機能等を備え、他のファクシミリ装置、コンピュータ、およびインターネットファクシミリ装置等と情報の送受信を行うことができる。
【０００３】
従来のインターネットファクシミリ装置としては、たとえば、特許文献１に記載されたものがある。同文献に記載されたインターネットファクシミリ装置は、インターネットを介した画像情報の送信失敗時に、Ｇ３ファクシミリ送信に自動的に切り換える構成を有している。
【０００４】
特許文献２には、複数の送信モードを備え、画情報を送信する際に、指定された宛先のアドレス情報に対応する送信モードをセットして送信処理を実行するネットワークファクシミリ装置が開示されている。ここで、ファクシミリ装置は、最初にセットした送信モードを適用した送信処理を行えない場合には、他の送信モードを適用するフォールバック機能を備えるとともに、指定された宛先にフォールバック禁止が設定されている場合には、フォールバック機能を使用しない送信処理手段を含む。
【特許文献１】特許第３０５５５２１号
【特許文献２】特許第３６５３５５８号
【発明の開示】
【発明が解決しようとする課題】
【０００５】
上記従来技術では、ユーザがインターネット通信を指定した場合であって、インターネット経由でファクシミリデータが通信できなかった場合に、公衆回線経由でファクシミリデータが送信されるようになっている。しかし、インターネット経由でファクシミリデータを送信できるにも関わらず、ユーザが知らなかったり、操作を誤ったりして、公衆回線経由でファクシミリデータが送信されるということがあった。そのため、ファクシミリ装置がインターネット通信機能を有しているにも関わらず、通信料金が低減できないという問題があった。
【０００６】
本発明は上記事情に鑑みてなされたものであり、その目的とするところは、公衆電話交換回線網経由およびインターケット経由でファクシミリデータを送信する場合のユーザの利便性を高めることにある。
【課題を解決するための手段】
【０００７】
本発明によれば、
ファクシミリデータをインターネット経由で送信する第１送信部と、
ファクシミリデータを公衆電話交換回線網経由で送信する第２送信部と、
前記第１送信部でファクシミリデータを送信するための第１種アドレス情報と、前記第２の送信部でファクシミリデータを送信するための第２種アドレス情報とを対応付けて記憶するアドレス情報記憶部と、
前記第１種アドレス情報または前記第２種アドレス情報の指定とともにファクシミリデータの送信指示を受け付ける受付部と、
前記受付部がファクシミリデータの送信指示を受け付けると、前記アドレス情報記憶部を参照して、指定された前記第１種アドレス情報および前記第２種アドレス情報のいずれか一方に、いずれか他方が対応付けられている場合、指定された前記一方のアドレス情報により前記ファクシミリデータを送信してよいか否かを確認し、確認の結果に基づき、前記第１送信部または前記第２送信部に前記ファクシミリデータを送信させる送信処理部と、
を含む通信端末装置が提供される。
【０００８】
このようにすれば、たとえばインターネット経由でのファクシミリデータの送信が可能な場合に、ユーザがそれを知らなかったり誤操作により公衆電話交換回線網経由によりファクシミリデータを送信しようとしたときに、確認することができる。そのため、通信料金が高くなってしまうような通信頻度を軽減することができる。また、本来公衆電話交換回線網経由で送信すべきファクシミリデータをインターネット経由で送信しようとしたときに、確認することもできる。なお、送信処理部は、ユーザが指定したアドレス情報が第１種アドレス情報および第２種アドレス情報のいずれの場合にも確認をするよう設定しておくこともでき、ユーザが指定したアドレス情報が第１種アドレス情報の場合のみまたは第２種アドレス情報の場合のみ確認をするように設定しておくこともできる。これにより、ユーザの利便性が高まる。
【０００９】
ここで、ファクシミリデータとは、スキャナ等で読み取られ送信用の画像データに変換されたものや、記憶装置に記憶されている画像データであり、画像データは電子メールに添付されたり、符号化圧縮変換されたりした後、送信される。
【００１０】
本発明の通信端末装置において、前記送信処理部は、前記受付部が前記第２種アドレス情報の指定とともにファクシミリデータの送信指示を受け付けた場合、前記アドレス情報記憶部を参照して、指定された前記第２種アドレス情報に前記第１種アドレス情報が対応付けられている場合、前記第１送信部による前記ファクシミリデータの送信が可能であることを示すとともに、前記第２送信部により当該ファクシミリデータを送信してよいか否かを確認することができる。
【００１１】
これにより、通信料金が高くなってしまうような通信頻度を軽減することができる。
【００１２】
本発明の通信端末装置において、前記受付部が複数の送信先について前記ファクシミリデータを送信する同報送信の指示を受け付けた場合、前記送信処理部は一の前記送信先について前記確認を行うとともに、当該確認に対するユーザからの指示を受け付けた場合、残りの他の前記送信先についてもすべて同種のアドレス情報により前記ファクシミリデータを送信してよいか否かを確認することができる。
【００１３】
たとえば、１回の送信指示で複数の送信先にファクシミリデータを送信する同報送信において、一の送信先の確認に対してユーザが指示を入力した場合、「これ以降すべて同じ」等の指示を入力することにより、残りの送信先については確認をすることなく、第１送信部で送信するか第２送信部で送信するかを設定することができる。これにより、通信料金が高くなるのを防ぐとともに、ユーザの利便性を高めることができる。
【００１４】
本発明の通信端末装置において、前記受付部が複数の送信先について前記ファクシミリデータを送信する同報送信の指示を受け付けた場合、前記送信処理部は少なくとも一の前記送信先について前記確認を行うとともに、当該確認に対するユーザからの指示を受け付けた場合、残りの他の前記送信先についても同種のアドレス情報により前記ファクシミリデータを送信させることができる。
これにより、ユーザは、複数の送信先についてどのアドレス情報を用いてファクシミリデータを送信するかを一度の指示で行うことができ、ユーザの利便性を高めることができる。
【００１５】
本発明の通信端末装置は、前記送信処理部による前記確認を行うか否かの設定を記憶する設定記憶部をさらに含むことができ、前記送信処理部は、前記設定記憶部に前記確認を行う旨の設定が記憶されている場合に、前記確認処理を行うことができる。前記設定記憶部は、前記送信処理部による前記確認を行うか否かの設定を、ファクシミリデータの種類またはその送信先の種類に対応付けて記憶することができる。
【００１６】
本発明の通信端末装置において、前記設定記憶部は、前記送信処理部による前記確認を行うか否かの設定を、ファクシミリデータの種類または当該ファクシミリデータの送信先の種類に対応付けて記憶することができ、前記送信処理部は、前記ファクシミリデータの種類またはその送信先の種類に基づき、前記設定記憶部を参照して、前記確認を行うか否かを判断することができる。これにより、たとえば通信料金が高くなるような場合に、確認を行うようにすることができる。
【００１７】
本発明の通信端末装置は、前記第１種アドレス情報および前記第２種アドレス情報の少なくともいずれか一方に対応付けられたキーを含む操作部をさらに含むことができ、前記受付部は、前記キーの押下により前記一方のアドレス情報の指定を受け付けることができ、前記送信処理部は、前記キーに前記他方のアドレス情報が対応付けられている場合に、前記確認を行うことができる。
【００１８】
なお、以上の構成要素の任意の組合せ、本発明の表現を方法、装置、システム、記録媒体、コンピュータプログラム等の間で変換したものもまた、本発明の態様として有効である。
【発明の効果】
【００１９】
本発明によれば、公衆電話交換回線網経由およびインターケット経由でファクシミリデータを送信する場合のユーザの利便性を高めることができる。
【発明を実施するための最良の形態】
【００２０】
以下、本発明の実施の形態について、図面を用いて説明する。尚、すべての図面において、同様な構成要素には同様の符号を付し、適宜説明を省略する。
【００２１】
本発明の通信端末装置は、たとえば、インターネットやＬＡＮ等のネットワークに接続されたインターネットファクシミリ装置やＭＦＰ（Multi Functional Peripheral）等とすることができる。以下、通信端末装置がインターネットファクシミリ装置である場合を例として説明する。なお、以下に示す各図において、本発明の本質に関わらない部分の構成は省略する。
【００２２】
（第１の実施の形態）
図１は、本実施の形態のインターネットファクシミリ装置のハードウェア構成の一例を示すブロック図である。
インターネットファクシミリ装置１００は、ＣＰＵ（Central Processing Unit）やＭＰＵ（Micro Processing Unit）等からなる制御部１０と、ＲＯＭ（Read Only Memory）１２と、ＲＡＭ（Random Access Memory）１４と、画像メモリ１６と、スキャナ１７と、プリンタ１８と、ネットワークインタフェース（図中、「ネットワークＩ／Ｆ」と示す）２０と、ＮＣＵ（Network Control Unit）２２と、モデム２４と、ＣＯＤＥＣ（Coder and Decoder：符号化復号器）２６と、操作部２８と、表示部３０と、これらを接続するバス３２とを含む。
【００２３】
制御部１０は、インターネットファクシミリ装置１００の各要素にバス３２を介して接続され、各要素とともに、装置全体を制御する。ＮＣＵ２２は、公衆電話交換回線網（図中、「ＰＳＴＮ（Public Switched Telephone Networks）」と示す）３に接続される電話回線とインターネットファクシミリ装置１００との接続を制御する。また、ＮＣＵ２２は、通信相手の電話番号（またはファクシミリ番号）のダイヤル信号を送出したり着信を検出する。モデム２４は、音声信号とデジタルデータとの間の変復調を行う。
【００２４】
スキャナ１７は、原稿の画像を読み取り画像データを生成し、それを画像メモリ１６に記憶する。スキャナ１７は、たとえば、ＣＣＤイメージセンサ等を含む。ＣＯＤＥＣ２６は、画像メモリ１６に記憶された画像データを符号化したり、受信した画像データを復号して画像メモリ１６に記憶する。プリンタ１８は、画像データを用紙に印字出力する。
【００２５】
操作部２８は、たとえば、キーボード、シートキー、ボタン、スイッチ、タッチパネル、マウス等を含み、インターネットファクシミリ装置１００の操作指示や入力を行う。操作部２８は、たとえば、ファックスやコピーの開始等を指示するスタートキー、電話番号やファクシミリ番号等を入力するためのテンキー等を含む。表示部３０は、たとえば、操作部２８の操作により入力された電話番号やファクシミリ番号、プリンタ１８のトナー残量等の各種情報、アドレス帳、操作指示画面等を表示する。表示部３０は、たとえば、ＣＲＴ（Cathode Ray Tube）ディスプレイ、液晶表示装置（ＬＣＤ：Liquid Crystal Display）、ＬＥＤ（Light Emitting Diode）表示器等により構成することができる。
【００２６】
ＲＯＭ１２は、インターネットファクシミリ装置１００全体の動作を制御するためのプログラム等が記録される。ＲＡＭ１４は、制御部１０による制御に必要なデータおよび制御動作時に一時記憶が必要なデータ等を記憶する。なお、本実施の形態において、インターネットファクシミリ装置１００の起動時には、ＲＯＭ１２に記憶されているプログラムは、一旦、ＲＡＭ１４にロードされてから、ＲＡＭ１４上で制御部１０により実行される。画像メモリ１６は、スキャナ１７が読み取った画像データやインターネットファクシミリ装置１００が外部から受信した画像データを記憶する。
【００２７】
ネットワークインタフェース２０は、ネットワーク１を介したインターネットファクシミリ装置１００と他のファクシミリ端末等との通信を制御する。本実施の形態において、ネットワーク１は、インターネットである。
【００２８】
図２は、本実施の形態におけるインターネットファクシミリ装置１００の構成の一例を示す機能ブロック図である。
【００２９】
図２は、ハードウェア単位の構成ではなく、機能単位のブロックを示している。
図２に示したインターネットファクシミリ装置１００の各構成要素は、任意のコンピュータのＣＰＵ、メモリ、メモリにロードされた本図の構成要素を実現するプログラム、そのプログラムを格納するハードディスク等の記憶ユニット、ネットワーク接続用インタフェースを中心にハードウェアとソフトウェアの任意の組合せによって実現される。そして、その実現方法、装置にはいろいろな変形例があることは、当業者には理解されるところである。
【００３０】
インターネットファクシミリ装置１００は、指示受付部１０２（受付部）、画像データ取得部１０４、送信処理部１０６、送信データ生成部１０８、第１送信部１１２、第２送信部１１４、通知部１１７、アドレス情報記憶部１２０、設定記憶部１２８、画像データ記憶部１２４、および送信データ記憶部１２６を含む。
【００３１】
第１送信部１１２は、ファクシミリデータをネットワーク１経由で送信する。第１送信部１１２は、メールアドレスやＩＰ電話番号で指定された宛先（送信先）に、ファクシミリデータを送信する。具体的には、たとえば、第１送信部１１２は、メールアドレスに基づき、宛先のＩＰアドレスをＤＮＳ（Domain Name System）を介して取得し、ＳＭＴＰ（Simple Mail Transfer Protocol）等のプロトコルを使用してファクシミリデータをネットワーク１経由で宛先に送信する。また、たとえば、第１送信部１１２は、ＩＰ電話番号に基づき、ＳＩＰ（Session Initiation Protocol）等の所定のプロトコルを使用してファクシミリデータをネットワーク１経由で宛先に送信する。第１送信部１１２は、図１の制御部１０およびネットワークインタフェース２０により構成することができる。
【００３２】
第２送信部１１４は、Ｇ３やＧ４などのファクシミリ通信プロトコルを利用して、ファクシミリデータをＰＳＴＮ３経由で送信する。第２送信部１１４は、ファクシミリ番号で指定された宛先に、ファクシミリデータを送信する。第２送信部１１４は、図１の制御部１０、ＮＣＵ２２およびモデム２４により構成することができる。
【００３３】
指示受付部１０２は、インターネットファクシミリ装置１００の操作パネル上に設けられた操作ボタン等から入力されるユーザの指示を受け付ける。たとえば、指示受付部１０２は、ユーザから、ファクシミリデータの宛先のアドレス情報の指定とともに、ファクシミリデータの送信指示を受け付ける。操作パネルは、宛先に対応付けたワンタッチキーや短縮キーを含む構成とすることができる。これらのワンタッチキーや短縮キーが押されると、指示受付部１０２は、そのキーに対応付けられた宛先を送信先の指定として受け付ける。また、指示受付部１０２は、ファクシミリ送信モードまたはインターネット送信モードのいずれかの指定も受け付ける。
【００３４】
通知部１１７は、ユーザに各種データを通知することができる。通知部１１７は、たとえば表示部３０（図１）に必要な情報を表示させたり、音声出力によりユーザに通知を行う。
【００３５】
画像データ取得部１０４は、画像データを取得する。たとえば、画像データ取得部１０４は、図１のスキャナ１７により読み取られた原稿に基づき生成された画像データを取得する。また、画像データ取得部１０４は、ネットワークを介して接続された他の端末から画像データを取得することもできる。画像データ取得部１０４は、取得した画像データを画像データ記憶部１２４に記憶する。画像データ記憶部１２４は、図１の画像メモリ１６により構成することができる。
【００３６】
アドレス情報記憶部１２０は、宛先毎に、宛先名称と、第１送信部１１２でファクシミリデータを送信するための第１種アドレス情報と、第２送信部１１４でファクシミリデータを送信するための第２種アドレス情報とを対応付けて記憶する。ここで、第１種アドレス情報は、メールアドレスやＩＰ電話番号とすることができる。第２種アドレス情報は、ファクシミリ番号とすることができる。以下、第１種アドレス情報がメールアドレスである場合を例として説明する。
【００３７】
図３は、アドレス情報記憶部１２０の内部構成の一例を示す図である。アドレス情報記憶部１２０は、宛先名称覧、メールアドレス覧およびファクシミリ番号欄を含む。たとえば、宛先名称「Ａ」、「Ｂ」および「Ｃ」には、メールアドレスとファクシミリ番号の両方が対応付けられている。一方、宛先名称「Ｄ」には、ファクシミリ番号しか対応付けられていない。
【００３８】
図２に戻り、送信データ生成部１０８は、画像データ記憶部１２４に記憶された画像データを送信データに変換する。送信データ生成部１０８は、ファクシミリデータが第１送信部１１２および第２送信部１１４のいずれにより送信されるかに応じて、対応する送信データを生成する。送信データ生成部１０８は、たとえば画像データ記憶部１２４に記憶された画像データを電子メールに添付する処理を行ったり、符号化圧縮変換したりする。送信データ生成部１０８は、生成した送信データを送信データ記憶部１２６に記憶する。
【００３９】
送信処理部１０６は、指示受付部１０２が受け付けたユーザからの指示等に基づき、第１送信部１１２および第２送信部１１４によるファクシミリデータの送信を制御する。送信処理部１０６は、ユーザからの指示等に基づき、第１送信部１１２および第２送信部１１４のいずれによりファクシミリデータを送信するかを決定する。送信処理部１０６は、送信データ記憶部１２６から送信データを読み出し、第１送信部１１２または第２送信部１１４に当該送信データをファクシミリデータとして送信させる。また、送信処理部１０６は、第１送信部１１２や第２送信部１１４によるファクシミリ送信が正常に終了したか否かを検出する。
【００４０】
設定記憶部１２８は、送信処理部１０６による宛先の確認を行うか否かの設定を記憶する。この設定は、指示開始前にユーザから受け付けることもできる。たとえば、通知部１１７は、「インターネット経由での送信が可能な宛先が含まれる場合、通知しますか？」等のメッセージを表示部３０（図１）等に表示する。ユーザが「ＹＥＳ」を選択すると、その旨が設定記憶部１２８に記憶される。
【００４１】
送信処理部１０６は、設定記憶部１２８を参照して、宛先の確認を行う旨の設定がされているか否かを判断する。送信処理部１０６は、設定記憶部１２８を参照して、宛先の確認を行う旨の設定がされている場合は、さらにアドレス情報記憶部１２０を参照し、指定された宛先に対応するメールアドレスが対応づけられているか否かを判断する。メールアドレスが対応づけられている場合、送信処理部１０６は、そのメールアドレスを取得する。
【００４２】
次に、本実施の形態におけるインターネットファクシミリ装置１００の動作を説明する。図４は、本実施の形態のインターネットファクシミリ装置１００の動作の一例を示すフローチャートである。以下、図１から図３も適宜参照して説明する。
【００４３】
指示受付部１０２が、ファクシミリ送信モードで宛先の指定を受け付けると（Ｓ１００のＹＥＳ）、送信処理部１０６は、設定記憶部１２８を参照して、宛先確認設定がオンとなっているか否かを判断する（Ｓ１０２）。宛先確認設定がオンの場合（Ｓ１０２のＹＥＳ）、送信処理部１０６は、アドレス情報記憶部１２０を参照して、指示受付部１０２が受け付けた宛先に対応するメールアドレスが登録されているか否かを判断する（Ｓ１０４）。ステップＳ１０２において、複数の宛先が指定されている場合（同報の場合）、これらの中で、対応するメールアドレスが登録されているか否かを判断することができる。対応するメールアドレスがある場合（Ｓ１０４のＹＥＳ）、送信処理部１０６は、通知部１１７を介して、ユーザに当該宛先にメール送信でファクシミリデータを送信するか否かを問い合わせる（Ｓ１０６）。
【００４４】
メールで送信する場合（Ｓ１０６のＹＥＳ）、その宛先について、メール送信を行う旨を設定する（Ｓ１１０）。ステップＳ１０６でメールで送信しない場合（Ｓ１０６のＮＯ）、その宛先についてファクシミリ送信を行う旨を設定する（Ｓ１０８）。つづいて、すべての宛先の設定が終了したかを判断し（Ｓ１１２）、終了していない場合（Ｓ１１２のＮＯ）、これ以降の宛先についても、ステップＳ１０６で指定されたのと同様に設定するか否か問い合わせる（Ｓ１１４）。それ以降も同じ場合（Ｓ１１４のＹＥＳ）、残りの宛先についても、直前の処理において、ステップＳ１０６で指定された方法を設定する（Ｓ１１６）。
【００４５】
ステップＳ１１４で、それ以降同じでない場合（Ｓ１１４のＮＯ）、ステップＳ１０４に戻り、次の宛先について、同様の処理を行う。
【００４６】
ステップＳ１１２で設定が終了した場合（Ｓ１１２のＹＥＳ）およびステップＳ１１６の後、送信処理部１０６は、設定された方法で各宛先にファクシミリデータを送信する（Ｓ１１８）。ステップＳ１０２で宛先確認の設定がオンとなっていない場合（Ｓ１０２のＮＯ）、およびステップＳ１０４で対応するメールアドレスがない場合（Ｓ１０４のＮＯ）、全宛先をファクシミリ送信として設定する（Ｓ１２０）。
【００４７】
ステップＳ１０４で、たとえば宛先が図３に示した「Ａ」、「Ｂ」または「Ｃ」の場合、メールアドレスも対応付けられているので、送信処理部１０６は、対応するメールアドレスがあると判断し（Ｓ１０４のＹＥＳ）、メール送信とするか否かを問い合わせる（Ｓ１０６）。一方、ステップＳ１０４で、たとえば宛先が「Ｄ」の場合、メールアドレスが対応付けられていないので、送信処理部１０６は、対応するメールアドレスがないと判断し（Ｓ１０４のＮＯ）、ファクシミリ送信を行う旨を設定する（Ｓ１２０）。
【００４８】
本実施の形態におけるインターネットファクシミリ装置１００によれば、公衆電話交換回線網経由およびインターケット経由でファクシミリデータを送信する場合のユーザの利便性を高めることができる。
【００４９】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５０】
以上の実施の形態において、インターネットファクシミリ装置１００は、ファクシミリ、プリンタ、コピー、スキャン機能等を統合したネットワーク複合機とすることができる。インターネットファクシミリ装置１００は、ＭＦＰ（Multi Functional Peripheral）等とすることができる。
【００５１】
また、本発明の通信端末装置は、プリンタ、コピー、スキャン機能等を有しない装置とすることもできる。このような場合でも、上述したのと同様の効果が得られる。
【００５２】
以上の実施の形態において、設定記憶部１２８には、宛先確認の設定のオンオフが記憶された例を説明したが、設定記憶部１２８は、たとえば宛先確認を行うための条件を記憶することもできる。設定記憶部１２８は、第２送信部１１４によるファクシミリデータの送信指示があったときに、第２送信部１１４で送信してよいかの確認を行うか否かを、ファクシミリデータの種類またはファクシミリデータの宛先の種類に対応付けて記憶することができる。ファクシミリデータの種類は、たとえばファクシミリデータのデータ量、解像度、カラーか白黒か等である。ファクシミリデータの宛先の種類は、たとえば宛先が国内にあるか海外にあるか等の存在地や地域性とすることができる。このように、ファクシミリデータの種類や宛先の種類に応じて確認の要否を設定することにより、第２送信部でファクシミリデータを送信すると通信料金が高くなるような場合に、確認することができる。
【図面の簡単な説明】
【００５３】
【図１】本発明の実施の形態におけるインターネットファクシミリ装置のハードウェア構成の一例を示すブロック図である。
【図２】本発明の実施の形態におけるインターネットファクシミリ装置を示す機能ブロック図である。
【図３】アドレス情報記憶部の内部構成の一例を示す図である。
【図４】本実施の形態におけるインターネットファクシミリ装置の動作を示すフローチャートである。
【符号の説明】
【００５４】
１  ネットワーク
３  ＰＳＴＮ
１０  制御部
１２  ＲＯＭ
１４  ＲＡＭ
１６  画像メモリ
１７  スキャナ
１８  プリンタ
２０  ネットワークインタフェース
２２  ＮＣＵ
２４  モデム
２６  ＣＯＤＥＣ
２８  操作部
３０  表示部
３２  バス
１０２  指示受付部
１０４  画像データ取得部
１０６  送信処理部
１０８  送信データ生成部
１１２  第１送信部
１１４  第２送信部
１１７  通知部
１２０  アドレス情報記憶部
１２４  画像データ記憶部
１２６  送信データ記憶部
１２８  設定記憶部
【図１】
2007096952.tif 000003
【図２】
2007096952.tif 000004
【図３】
2007096952.tif 000005
【図４】
2007096952.tif 000006